(57)【要約】匂い画像の基データ作成方法は、匂い物質を含むサンプルの匂いを画像で表現するための基データを作成する方法である。複数のセンサ素子１１を備える匂いセンサ１０を用いて、サンプルに含まれる匂い物質について複数のセンサ素子１１のそれぞれにおいて測定された各測定結果を取得する測定結果取得ステップと、取得した測定結果をそれぞれ加工して、サンプルの匂いを画像で表現するための基データを生成するデータ加工ステップと、を有する。複数のセンサ素子１１は、匂い物質に対する検出特性が各々異なる。基データのそれぞれについて小画像２で表現した場合に、複数の小画像２の集合である所定の表示態様でサンプルの匂いが匂い画像１として表現されると共に、小画像２のそれぞれが基データの値の大きさに応じて変化する。【選択図】図４
2018211642.tif 000002
【特許請求の範囲】
【請求項１】
匂い物質を含むサンプルの匂いを画像で表現するための基データを作成する匂い画像の基データ作成方法であって、
複数のセンサ素子を備える匂いセンサを用いて、前記サンプルに含まれる前記匂い物質について前記複数のセンサ素子のそれぞれにおいて測定された各測定結果を、前記複数のセンサ素子のそれぞれに関連付けられた状態で取得する測定結果取得ステップと、
取得した前記測定結果をそれぞれ加工して、前記サンプルの匂いを画像で表現するための基データであって、前記複数のセンサ素子のそれぞれに関連付けられた前記基データを生成するデータ加工ステップと、を有し、
前記複数のセンサ素子は、前記匂い物質に対する検出特性が各々異なり、
前記データ加工ステップにおいて、前記基データのそれぞれについて前記センサ素子のそれぞれに対応した小画像で表現した場合に、複数の前記小画像の集合である所定の表示態様で前記サンプルの匂いが画像として表現されると共に、前記小画像のそれぞれが前記基データの値の大きさに応じて変化するよう前記基データを生成する、匂い画像の基データ作成方法。
【請求項２】
前記所定の表示態様は、前記基データのそれぞれに対応する複数の小画像が互いに所定の間隔を有しつつ所定の大きさ、色、及び形状で表される表示態様である、請求項１に記載の匂い画像の基データ作成方法。
【請求項３】
前記データ加工ステップにおいて、
前記基データを、前記基データの値に応じて、複数の段階に分類し、
分類された前記複数の段階の各々に応じて、前記小画像の大きさ、色、及び形状の少なくとも１つを変化させる、請求項２に記載の匂い画像の基データ作成方法。
【請求項４】
前記複数のセンサ素子は、
前記匂い物質を吸着する物質吸着膜と、
前記匂い物質の前記物質吸着膜への吸着状態を検出する検出器と、
を各々有し、
前記物質吸着膜の前記匂い物質に対する吸着特性が、前記複数のセンサ素子において各々異なる、請求項１から請求項３のいずれか１項に記載の匂い画像の基データ作成方法。
【請求項５】
請求項１から請求項４のいずれか１項に記載の匂い画像の基データ作成方法によって作成された前記基データに基づいて表現される匂い画像の作成方法。
【発明の詳細な説明】
【技術分野】
【０００１】
本発明は、匂い画像の基データ作成方法に関する。具体的には、匂い物質を含むサンプルの匂いを画像で表現するための基データを作成する方法に関する。
【背景技術】
【０００２】
空気の匂いを測定するために、空気中の匂い物質を特異的に吸着する水晶振動子を備えるセンサが知られている（特許文献１参照）。
【先行技術文献】
【特許文献】
【０００３】
【特許文献１】特開平５−１８７９８６号公報
【発明の概要】
【発明が解決しようとする課題】
【０００４】
しかしながら、空気の匂いをセンサで測定し、その測定結果を保存しただけでは、その匂いが、どのような匂いであるのかを直接的に把握することが難しい。【０００５】
本発明は、上記の事情に鑑みてなされたもので、匂いセンサを用いて測定した匂いの測定結果を、視覚的に把握し易くするべく匂いを画像で表現するための基データを作成する方法を提供することを例示的課題とする。
【課題を解決するための手段】
【０００６】
上記の課題を解決するために、本発明は以下の構成を有する。
（１）匂い物質を含むサンプルの匂いを画像で表現するための基データを作成する匂い画像の基データ作成方法であって、複数のセンサ素子を備える匂いセンサを用いて、前記サンプルに含まれる前記匂い物質について前記複数のセンサ素子のそれぞれにおいて測定された各測定結果を、前記複数のセンサ素子のそれぞれに関連付けられた状態で取得する測定結果取得ステップと、取得した前記測定結果をそれぞれ加工して、前記サンプルの匂いを画像で表現するための基データであって、前記複数のセンサ素子のそれぞれに関連付けられた前記基データを生成するデータ加工ステップと、を有し、前記複数のセンサ素子は、前記匂い物質に対する検出特性が各々異なり、前記データ加工ステップにおいて、前記基データのそれぞれについて前記センサ素子のそれぞれに対応した小画像で表現した場合に、複数の前記小画像の集合である所定の表示態様で前記サンプルの匂いが画像として表現されると共に、前記小画像のそれぞれが前記基データの値の大きさに応じて変化するよう前記基データを生成する、匂い画像の基データ作成方法。【０００７】
本発明の更なる目的又はその他の特徴は、以下添付図面を参照して説明される好ましい実施の形態によって明らかにされるであろう。
【発明の効果】
【０００８】
本発明によれば、匂いセンサを用いて測定した匂いの測定結果を、視覚的に把握し易くするべく匂いを画像で表現するための基データを作成する方法を提供することができる。
【図面の簡単な説明】
【０００９】
【図１】実施形態１の測定結果取得ステップにおいて取得される測定結果データベースＤ１である。
【図２】実施形態１の測定結果取得ステップにおいて取得される測定結果を表すグラフである。
【図３】実施形態１のデータ加工ステップＳ２の概要を説明する図である。
【図４】実施形態１のデータ加工ステップＳ２において生成された基データに基づいて表現された画像の一例である。
【図５】実施形態１における匂いセンサ１０を模式的に示す平面図である。
【図６】図５におけるＡ−Ａ’断面を模式的に示す断面図である。
【図７】実施形態１における匂い測定の機構を模式的に示す説明図である。
【発明を実施するための形態】
【００１０】
［実施形態１］
以下、実施形態１に係る匂い画像の基データ作成方法について説明する。実施形態１に係る匂い画像の基データ作成方法は、匂い物質を含むサンプルの匂いを画像で表現するための基データを作成する方法である。実施形態１に係る匂い画像の基データ作成方法は、測定結果取得ステップと、データ加工ステップと、を有する。
【００１１】
実施形態１において、「匂い」とは、ヒト、又はヒトを含む生物が、嗅覚情報として取得することができるものであり、分子単体、若しくは異なる分子からなる分子群がそれぞれの濃度を持って集合したものを含む概念とする。
【００１２】
実施形態１において、上述の匂いを構成する、分子単体、若しくは異なる分子からなる分子群がそれぞれの濃度を持って集合したものを「匂い物質」と称する。ただし、匂い物質は、広義において、後述する匂いセンサ１０の物質吸着膜に吸着可能な物質を広く意味する場合があるものとする。すなわち、「匂い」には原因となる匂い物質が複数含まれることが多く、また、匂い物質として認知されていない物質又は未知の匂い物質も存在し得るため、一般的に匂いの原因物質とされていない物質も含まれ得るものとする。
【００１３】
＜測定結果取得ステップＳ１＞
測定結果取得ステップＳ１においては、匂いセンサ１０を用いて、匂いセンサ１０が備える複数のセンサ素子１１のそれぞれにおいて、サンプルに含まれる匂い物質について測定された各測定結果を取得する。複数のセンサ素子１１は、それぞれ匂い物質に対する検出特性が各々異なっている。匂いセンサ１０の具体的構成については、後述する。
【００１４】
各測定結果は、複数のセンサ素子１１のそれぞれに関連付けられた状態で取得される。具体的には、各センサ素子１１と、センサ素子１１のそれぞれにおいて測定された各測定結果と、が相互に関連付けられた状態で格納された測定結果データベースとして取得することができる。
【００１５】
図１は、実施形態１の測定結果取得ステップにおいて取得される測定結果データベースＤ１である。測定結果データベースＤ１では、各センサ素子１１と、センサ素子１１のそれぞれにおいて測定された各測定結果と、が相互に関連付けられた状態で格納されている。図１に示す測定結果データベースＤ１では、センサ素子１１−０１〜１１−３５の計３５個のセンサ素子１１について、それぞれの測定結果が関連付けられた状態で格納されている。なお、図１においては、センサ素子１１−０８〜１１−３４については、説明の便宜上、記載が省略されている。
【００１６】
測定結果は、具体的には、各センサ素子１１が検出した生データである。匂いセンサ１０が、例えば、水晶振動子センサ（ＱＣＭ）である場合、センサ素子１１が生成する生データとしては、水晶振動子の共振周波数の経時変化とすることができる。すなわち、センサ素子１１による測定結果として、匂いセンサ１０の動作開始からの経過時間が異なる複数の時点における共振周波数とすることができる。例えば、図１に示すように、センサ素子１１−０１において測定された測定結果は、匂いセンサ１０の動作開始から０秒後における共振周波数を基準とした場合に、１４秒後において測定された共振周波数が「９．３」であり、１６秒後において測定された共振周波数が「−１１．０」である。また、センサ素子１１−０２において測定された測定結果は、匂いセンサ１０の動作開始から０秒後における共振周波数を基準とした場合に、匂いセンサ１０の動作開始から１４秒後において測定された共振周波数が「１０．７」であり、１６秒後において測定された共振周波数が「−１１．７」である。なお、測定に際して、測定結果の記録の時間間隔は特に制限されないが、例えば、１秒間隔とすることができる。
【００１７】
匂いセンサ１０による測定は、複数回行い、複数回行った測定の生データの平均値を測定結果とすることが好ましい。測定の回数は、特に制限されないが、例えば３回とすることができる。平均値としては、算術平均（相加平均）による平均値を採用することができる。
【００１８】
＜データ加工ステップＳ２＞
データ加工ステップＳ２においては、測定結果取得ステップＳ１において取得した測定結果をそれぞれ加工して、サンプルの匂いを匂い画像１で表現するための基データであって、複数のセンサ素子１１のそれぞれに関連付けられた基データを生成する。また、データ加工ステップＳ２においては、基データのそれぞれについてセンサ素子１１のそれぞれに対応した小画像２で表現した場合に、複数の小画像２の集合である所定の表示態様でサンプルの匂いが匂い画像１として表現されると共に、小画像２のそれぞれが基データの値の大きさに応じて変化するよう基データを生成する
【００１９】
データ加工ステップＳ２は、差分算出サブステップＳ２−１と、対数演算サブステップＳ２−２と、値分類サブステップＳ２−３と、基データ生成サブステップＳ２−４と、の各サブステップを有していてもよい。
【００２０】
＜差分算出サブステップＳ２−１＞
差分算出サブステップＳ２−１においては、測定結果取得ステップＳ１において取得された測定結果のそれぞれについて、極大値と、当該極大値を経た後の最初の極小値（以下「極大値直後の極小値」ともいう）と、の間の差（差分）を算出する。そして、差分（極大値とその直後の極小値）が複数存在する場合は、差分の値が最大のものを当該測定結果の差分とする。このようにして、各測定結果に対して、複数のセンサ素子１１のそれぞれに関連付けられた差分を得る。
【００２１】
図２は、実施形態１の測定結果取得ステップにおいて取得される測定結果を表すグラフである。図２において、縦軸は、匂いセンサ１０の動作開始から０秒後における共振周波数を基準とした場合の所定時間後において測定された共振周波数の変位量［Ｈｚ］であり、横軸は、匂いセンサ１０の動作開始後の経過時間［秒］である。図２においては、測定結果データベースＤ１に示されている測定結果のうち、センサ素子１１−０１、１１−０２、１１−０３についての測定結果が示されている。図２中、センサ素子１１−０１の測定結果が実線で、センサ素子１１−０２の測定結果が破線で、センサ素子１１−０３の測定結果が一点破線で示されている。他のセンサ素子１１−０４〜１１−３５についても、同様にグラフを作成できることは言うまでもない。図２中、センサ素子１１−０１について、測定結果の差分は「２２．６Ｈｚ」である。すなわち、センサ素子１１−０１についての測定結果において、匂いセンサ１０の動作開始後の経過時間１４秒における極大値「９．３Ｈｚ」と、匂いセンサ１０の動作開始後の経過時間１７秒における極小値「−１３．３Ｈｚ」との間の差分である。
【００２２】
差分の算出に際して、匂いセンサ１０の動作開始後の経過時間の範囲を制限してもよい。例えば、匂いセンサ１０の動作開始から１５秒経過後にサンプルの匂いの測定を開始し、匂いセンサ１０の動作開始から２０秒経過後にサンプルの匂いの測定を終了した場合、差分の算出を行う経過時間の範囲を匂いセンサ１０の動作開始からの経過時間が１４秒から２５秒までの間とすることができる。なお、この経過時間の範囲は、任意に設定することができる。
【００２３】
＜対数演算サブステップＳ２−２＞
対数演算サブステップＳ２−２においては、差分算出サブステップＳ２−１において算出された差分のそれぞれについて対数演算を行い、複数のセンサ素子１１のそれぞれに関連付けられた対数値を得る。対数演算に際して、底は特に制限されないが、例えば２とすることができる。なお、差分は、極大値と極小値との間の差であり、正の値（実数）である。
【００２４】
＜値分類サブステップＳ２−３＞
値分類サブステップＳ２−３においては、対数演算サブステップＳ２−２において得た各対数値を値の大きさに応じて複数の領域に分類する。分類する領域の数としては、特に制限されないが、例えば、３〜５領域等とすることができる。以下、３領域に分類する場合について説明する。
【００２５】
値分類サブステップＳ２−３においては、まず、対数演算サブステップＳ２−２において得た各サンプルについての複数の対数値のうち、最大のものと、最小のものと、を特定する。次いで、最大の対数値と最小の対数値との間の差を３で除した場合の商を算出する。このようにして得られた商を用いて最大の対数値と最小の対数値との間の数値範囲を３等分された領域に区分することができる。すなわち、最小の対数値から最小の対数値に商を加算した値までの領域と、最小の対数値から最小の対数に商の２倍を加算した値までの領域と、最小の対数に商の２倍を加算した値から最大の対数値までの領域と、に３等分することができる。
【００２６】
次いで、各センサ素子１１に関連付けられた対数値のそれぞれを、３つの領域のうち、いずれかの領域に分類する。各対数値について、分類された領域を識別するためのフラグを設けてもよい。例えば、３等分された３つの領域に対して、値が小さいものから順に（１）、（２）、（３）のようにフラグを設けることができる。これにより、各センサ素子１１に関連付けられた測定結果を、その値の大きさに応じて３つの段階に分類することができる。
【００２７】
上述のデータ加工ステップＳ２について、図３を用いて更に具体的に説明する。図３は、実施形態１のデータ加工ステップＳ２の概要を説明する図である。図３中、表（Ａ）は、あるサンプルについて差分算出サブステップＳ２−１において算出された差分を示す表である。センサ素子１１−０１〜１１−３５のそれぞれについて、その差分の値を示している。例えば、表（Ａ）中、センサ素子１１−０１において得られた差分は「３８．７」であり、センサ素子１１−０２において得られた差分は「２７．０」である。なお、説明の便宜上、センサ素子１１−１１〜１１−３４の値については、表示を省略する（後述する表（Ｂ）、表（Ｅ）についても同様）。
【００２８】
次いで、対数演算サブステップＳ２−２により、各センサ素子１１についての差分を対数演算処理する。ここでの対数演算は、下記式（１）で表される。すなわち、差分の値の絶対値を、底を２として対数演算することで、対数値を求める。
[対数値]＝ｌｏｇ２｜[差分]｜・・・式（１）
【００２９】
表（Ｂ）は、対数演算サブステップＳ２−２によって求められた、各センサ素子１１についての対数値を示す表である。例えば、表（Ｂ）中、センサ素子１１−０１において得られた差分に基づいて算出された対数値は「５．３」であり、センサ素子１１−０２において得られた差分に基づいて算出された対数値は「４．８」である。
【００３０】
次いで、値分類サブステップＳ２−３により、得られた対数値に基づいて、各センサ素子１１についての対数値を３つの領域に分類する。具体的には、まず、測定中のサンプルにおいて、各センサ素子１１についての対数値のうち、最大のもの（最大値）と、最小のもの（最小値）とを特定する。そして、最大値と最小値との間の差を３で除した場合の商を算出する。これら特定した最大値、最小値、及び算出した商を表（Ｃ）に示す。表（Ｃ）中、特定された最大値は「６．７」であり、特定された最小値は「３．１」であり、算出された商は「１．２」である。
【００３１】
これら特定した最大値、最小値、及び算出した商に基づき、各センサ素子１１についての対数値を３段階に分類する。分類に際しては、表（Ｄ）に示すような分類規則に基づいて分類する。具体的には、最も小さい対数値の領域（領域１）は、３．１≦［対数値］≦４．３の範囲、次に小さい対数値の領域（領域２）は、４．３＜［対数値］≦５．５の範囲、最も大きい対数値の領域（領域３）は、５．５＜［対数値］≦６．７の範囲との分類規則に基づいて分類する。
【００３２】
次いで、分類した結果に基づいて、各センサ素子１１について、フラグを付与する。表（Ｅ）に各センサ素子１１についてフラグを付与した結果を示す。領域１に該当する対数値が得られたセンサ素子１１についてはフラグ（１）を、領域２に該当する対数値が得られたセンサ素子１１についてはフラグ（２）を、領域３に該当する対数値が得られたセンサ素子１１についてはフラグ（３）を付与する。例えば、表（Ｅ）中、センサ素子１１−０１についてはフラグ（２）が付与され、センサ素子１１−３０についてはフラグ（１）が付与され、センサ素子１１−０９についてはフラグ（３）が付与されている。
【００３３】
＜基データ生成サブステップＳ２−４＞
基データ生成サブステップＳ２−４においては、値分類サブステップＳ２−３において分類された対数値（測定結果）であって、各センサ素子１１に対応する対数値（測定結果）に基づき、基データを生成する。基データは、それぞれ、各センサ素子１１に対応した値を有する。
【００３４】
基データとは、サンプルの匂いを匂い画像１で表現するための画像データの基となるデータである。基データは、匂い画像１を形成する各画素の色や位置等の情報を示すデータ（ピクセルデータ）ではなく、小画像２の位置や大きさ、色、形状等を示すデータである。基データに基づいて作成された匂い画像１は、センサ素子１１のそれぞれに対応する基データによって表現される小画像２を複数含むものである。匂い画像１は、それらの複数の小画像２の集合として、所定の表示態様によって表すことができる。小画像２のそれぞれは、対応する基データの値の大きさに応じて変化することができる。具体的には、対応する基データの値の大きさに応じて、小画像２の大きさ、色、形状を変化させることができる。すなわち、基データ生成サブステップＳ２−４においては、所定の表示態様でサンプルの匂いが匂い画像１として表現されるように、基データを生成する。また、基データ生成サブステップＳ２−４においては、小画像２のそれぞれが基データの値の大きさに応じて変化するように、基データを生成する。
【００３５】
図４は、実施形態１のデータ加工ステップＳ２において生成された基データに基づいて表現された画像の一例である。図４に示された匂い画像１は、３５個の小画像２で構成されており、各小画像２の形状は円である。各小画像２は、各センサ素子１１−０１〜１１−３５に対応して、左上から順に整列している。具体的には、図４中、上から１行目の２つの小画像２は、左から順にセンサ素子１１−０１、１１−０２に対応しており、上から２行目の５つの小画像２は、左から順にセンサ素子１１−０３〜１１−０７にそれぞれ対応している。また、センサ素子１１−０３（フラグ（１））に対応する小画像２は小さな円で、センサ素子１１−０９（フラグ（３））に対応する小画像２は大きな円で、センサ素子１１−０１（フラグ（２））に対応する小画像２は上記小さな円と大きな円の間の大きさの円で、表されている。
【００３６】
図４においては、すべての小画像２の形状が円で表されているが、各小画像２の形状は円に限定されず、正方形、長方形、ひし形、その他不定形等であってもよい。また、すべての小画像２の形状が一致している必要はなく、各小画像２が異なる形状を有していてもよい。図４においては、各小画像２の色は黒色で表されているが、各小画像２の色は黒色に限定されず、任意の色で表されていてもよい。また、すべての小画像２の色が一致している必要はなく、各小画像２が異なる色で表されていてもよい。
【００３７】
図４においては、各小画像２が、対応する基データの値の大きさに応じて、大きさが異なるように表されている。具体的には、基データの値が大きければ、小画像２は大きく表示され、基データの値が小さければ、小画像２は小さく表示されている。ここで、各小画像２を表示する大きさは、値分類サブステップＳ２−３において分類した段階に応じて、複数の段階に分類されていてもよい。すなわち、値分類サブステップＳ２−３において、フラグ（１）、（２）、（３）の３段階に分類した場合、小画像２の大きさも３段階に分類して表示させることができる。
【００３８】
所定の表示態様において、各小画像２の間の間隔は一定であること（等間隔に並んでいること）が好ましい。また、所定の表示態様において、各小画像２の位置（各小画像２の中心又は重心）は、一定であること（基データの値に応じて動かないこと）が好ましい。このように各小画像２の位置や間隔が一定であることにより、基データの値の大きさに応じて、各小画像２の大きさや形状が変化した場合に、変化の前後の匂い画像１を比較することによって、変化した小画像２を視覚的に把握し易くすることができる。なお、各小画像２の間の間隔は一定（等間隔）に限定されず、匂い画像１は、異なる形状の小画像２が複数組み合わせられたものであってもよい。
【００３９】
＜匂いセンサ１０＞
図５は、実施形態１における匂いセンサ１０を模式的に示す平面図である。図６は、図５におけるＡ−Ａ’断面を模式的に示す断面図である。匂いセンサ１０は、複数のセンサ素子１１を備える。センサ素子１１は、それぞれ、匂い物質を吸着する物質吸着膜１３と、この物質吸着膜１３への匂い物質の吸着状態を検出する検出器１５と、を有する。
【００４０】
図６に示すように、センサ素子１１は、検出器１５と、検出器１５の表面上に設けられた物質吸着膜１３と、で構成されている。物質吸着膜１３は、検出器１５の表面の全体を覆っていることが好ましい。すなわち、検出器１５の大きさは、物質吸着膜１３の形成範囲と同じか、又は物質吸着膜１３の形成範囲よりも小さいことが好ましい。なお、１つの物質吸着膜１３の形成範囲内に複数の検出器１５が設けられていてもよい。
【００４１】
センサ素子１１は、センサ基板１７上に、複数配設されており、図５に示すように３行３列の格子状に整列されている。このとき、隣り合うセンサ素子１１の物質吸着膜１３同士が接触していないか、又は絶縁されている。なお、センサ素子１１は、センサ基板１７上で、必ずしも整列されている必要はなく、ランダムに配設されていたり、３行３列以外の形態に整列されていたりしてもよい。なお、図４に示すような、３５個の小画像２を有する匂い画像１を作成するためには、各小画像２にそれぞれ対応した３５個のセンサ素子１１を使用することが好ましい。この場合、すべてのセンサ素子１１が１枚のセンサ基板１７上に配設される必要はなく、複数枚のセンサ基板１７上に、それぞれ異なるセンサ素子１１が配設されていてもよい。
【００４２】
センサ基板１７上に配設される複数のセンサ素子１１は、それぞれの物質吸着膜１３の性状が互いに異なっている。具体的には、複数のセンサ素子１１のすべてがそれぞれ異なる組成の物質吸着膜１３で構成されており、同一の性状の物質吸着膜１３は存在しないことが好ましい。ここで、物質吸着膜１３の性状とは、匂い物質の物質吸着膜１３への吸着特性ということもできる。すなわち、同じ匂い物質（又はその集合体）であっても、異なる性状を有する物質吸着膜１３には、異なる吸着特性を示すことになる。図５及び図６においては、便宜上、物質吸着膜１３をすべて同様に示しているが、実際にはその性状が互いに異なっている。なお、各センサ素子１１の物質吸着膜１３の吸着特性は、必ずしもすべて異なっている必要はなく、中には、同一の吸着特性を有する物質吸着膜１３が配設されたセンサ素子１１が設けられていてもよい。
【００４３】
物質吸着膜１３の材質としては、π電子共役高分子で形成される薄膜を用いることができる。この薄膜には、ドーパントとして、無機酸、有機酸、又はイオン性液体のうち、少なくとも１種を含有させることができる。ドーパントの種類や含有量を変化させることで、物質吸着膜１３の性状を変化させることができる。
【００４４】
π電子共役高分子としては、特に限定されないが、ポリピロール及びその誘導体、ポリアニリン及びその誘導体、ポリチオフェン及びその誘導体、ポリアセチレン及びその誘導体、ポリアズレン及びその誘導体等の、π電子共役高分子を骨格とする高分子が好ましい。
【００４５】
π電子共役高分子が酸化状態で骨格高分子自体がカチオンとなる場合、ドーパントとしてアニオンを含有させることによって導電性を発現させることができる。なお、本発明では、ドーパントを含有させていない中性のπ電子共役高分子も物質吸着膜１３として採用することができる。
【００４６】
ドーパントの具体例としては、塩素イオン、塩素酸化物イオン、臭素イオン、硫酸イオン、硝酸イオン、ホウ酸イオン等の無機イオン、アルキルスルホン酸、ベンゼンスルホン酸、カルボン酸等の有機酸アニオン、ポリアクリル酸、ポリスチレンスルホン酸等の高分子酸アニオン等を挙げることができる。
【００４７】
また、中性のπ電子共役高分子に、食塩のような塩や、イオン性液体のような陽イオン、陰イオン両方を含むイオン性化合物を共存させることで化学平衡的にドーピングを行う方法も用いることができる。
【００４８】
π電子共役高分子におけるドーパントの含有量は、π電子共役高分子を構成する２つの繰り返し単位あたり１つのドーパント単位（イオン）が入る状態を１とした場合、０．０１〜５の範囲、好ましくは０．１〜２の範囲に調整されればよい。ドーパントの含有量を、この範囲の最低値以上とすることにより、物質吸着膜１３としての特性が消失することを抑制することができる。また、ドーパントの含有量を、この範囲の最大値以下とすることにより、π電子共役高分子自体が持つ吸着特性の効果が低下し、望ましい吸着特性を有する物質吸着膜１３を作成するのが困難になることを抑制することができる。また、通常は低分子量物質であるドーパントが優勢な膜となるために、物質吸着膜１３の耐久性が大幅に低下することを抑制することができる。よって、ドーパントの含有量を上述の範囲とすることにより、匂い物質の検出感度を好適に維持することが可能である。
【００４９】
複数のセンサ素子１１において、それぞれ物質吸着膜１３の吸着特性を変化させるために、異なる種類のπ電子共役高分子を用いることができる。また、同種のπ電子共役高分子を用いて、ドーパントの種類や含有量を変化させることで、異なる吸着特性を発現させてもよい。例えば、π電子共役高分子の種類や、ドーパントの種類、含有量等を変化させることにより、物質吸着膜１３の疎水・親水性能を変化させることができる。
【００５０】
物質吸着膜１３の厚さは、吸着対象となる匂い物質の特性に応じて適宜選択することが可能である。例えば、物質吸着膜１３の厚さは１０ｎｍ〜１０μｍの範囲とすることができ、５０ｎｍ〜８００ｎｍとすることが好ましい。物質吸着膜１３の厚さが１０ｎｍ未満となると、十分な感度が得られない場合がある。また、物質吸着膜１３の厚さが１０μｍを越えると、検出器１５が検出できる重量の上限を超えてしまう場合がある。
【００５１】
検出器１５は、物質吸着膜１３の表面に吸着した匂い物質による、物質吸着膜１３の物理、化学、又は電気的特性の変化を測定し、その測定データを例えば電気信号として出力する信号変換部（トランスデューサ）としての機能を有する。すなわち、検出器１５は、匂い物質の物質吸着膜１３の表面への吸着状態を検出する。検出器１５が測定データとして出力する信号としては、電気信号、発光、電気抵抗の変化、振動周波数の変化等の物理情報が挙げられる。
【００５２】
検出器１５としては、物質吸着膜１３の物理、化学、又は電気的特性の変化を測定するセンサであれば特に制限されず、種々のセンサを適宜用いることができる。検出器１５として、具体的には、水晶振動子センサ（ＱＣＭ）、表面弾性波センサ、電界効果トランジスタ（ＦＥＴ）センサ、電荷結合素子センサ、ＭＯＳ電界効果トランジスタセンサ、金属酸化物半導体センサ、有機導電性ポリマーセンサ、電気化学的センサ等を挙げることができる。
【００５３】
なお、検出器１５として水晶振動子センサを用いる場合には、図示しないが、励振電極として、水晶振動子の両面に電極を設けてもよいし、高いＱ値を検出するべく片面に分離電極を設けてもよい。また、励振電極は、水晶振動子のセンサ基板１７側に、センサ基板１７を挟んで設けられていてもよい。励振電極は、任意の導電性材料で形成することができる。励振電極の材料として、具体的には、金、銀、白金、クロム、チタン、アルミニウム、ニッケル、ニッケル系合金、シリコン、カーボン、カーボンナノチューブ等の無機材料、ポリピロール、ポリアニリン等の導電性高分子等の有機材料を挙げることができる。
【００５４】
検出器１５の形状は、図６に示すように、平板形状とすることができる。平板形状の平板面の形状は、図５に示すように、四角形や正方形とすることができるが、円形や楕円形等、種々の形状とすることができる。また、検出器１５の形状は、平板形上に限られず、その厚さが変動していてもよく、凹状部や凸状部が形成されていてもよい。
【００５５】
検出器１５が、上述の水晶振動子センサのように振動子を用いるものである場合、複数のセンサ素子１１における各振動子の共振周波数を変化させることで、同一のセンサ基板１７上に共存する他の振動子から受ける影響（クロストーク）を低減することが可能である。同一のセンサ基板１７上の各振動子が、ある振動数に対して異なる感度を示すよう、共振周波数を任意に設計することが可能である。共振周波数は、例えば、振動子や物質吸着膜１３の厚さを調節することで変化させることができる。
【００５６】
センサ基板１７としては、シリコン基板、水晶結晶からなる基板、プリント配線基板、セラミック基板、樹脂基板等を用いることができる。また、基板は、インターポーザ基板等の多層配線基板であり、水晶基板を振動させるための励振電極と実装配線、通電するための電極が任意の位置に配置されている。
【００５７】
上述のような構成とすることにより、匂い物質の吸着特性がそれぞれ異なる物質吸着膜１３を有するセンサ素子１１を複数有する匂いセンサ１０を得ることができる。これにより、ある匂い物質又はその組成を含む空気の匂いを匂いセンサ１０で測定した場合、各センサ素子１１の物質吸着膜１３には、同様に匂い物質又はその組成が接触することになるが、各物質吸着膜１３には、匂い物質がそれぞれ異なる態様で吸着される。すなわち、各物質吸着膜１３において、匂い物質の吸着量が異なる。そのため、各センサ素子１１において検出器１５の検出結果が異なることになる。したがって、ある匂い物質又はその組成に対して、匂いセンサ１０が備えるセンサ素子１１（物質吸着膜１３）の数だけ、検出器１５による測定データが生成される。
【００５８】
ある匂い物質又はその組成について測定することにより匂いセンサ１０が生成する測定データのセット（以下、匂いデータという）は、通常、特定の匂い物質や匂い物質の組成に対して特異的（ユニーク）である。そのため、匂いセンサ１０によって匂いデータを測定することにより、匂いを、匂い物質単独で、又は匂い物質の組成（混合物）として識別することが可能である。
【００５９】
次に、匂いセンサ１０を用いて匂いデータを取得する匂いデータ取得手段の構成について説明する。図７は、実施形態１における匂い測定の機構を模式的に示す説明図である。匂い測定は、例えば匂い測定装置を用いて行うことができる。匂い測定装置は、匂いセンサ１０と、匂いセンサ１０に接続された演算処理装置５１と、演算処理装置５１に接続された記憶装置５２と、を有する。匂いセンサ１０によって測定された測定結果は、演算処理装置５１において処理され、記憶装置５２に記憶させることができる。匂い測定結果取得ステップＳ１を実現する匂い測定手段Ｍ１は、プログラムＰ１として記憶装置５２に記憶され、そのプログラムを演算処理装置５１に実行させることにより、匂いセンサ１０を匂い測定手段として機能させることができる。なお、匂いデータの取得は、演算処理装置５１による実行によらずとも、その他の構成によって実行されてもよい。
【００６０】
匂い測定手段（プログラム）は、匂いセンサ１０の各センサ素子１１のそれぞれから得られた測定結果を、匂い画像１の各小画像２のそれぞれへと、１対１に対応付けすることができる。このとき、匂いセンサ１０上での各センサ素子１１の配列と、匂い画像１上での各小画像２の配列との間には、相関関係があってもよく、相関関係がなくても（すなわち、ランダムであっても）よい。例えば、各センサ素子１１に配設された物質吸着膜１３の物質吸着特性が近いセンサ素子１１に関連付けられた小画像２が、匂い画像１上で近接した位置に配置されていてもよい。このように、各センサ素子１１の物質吸着膜１３の種類と各小画像２の配置との間に所定の相関関係を持たせておくことにより、その相関関係の情報を知得していない第三者が匂いセンサ１０を取得したとしても、当該相関関係の情報を利用することができないようにすることができる。そのため、そのような第三者は当該相関関係に基づいた基データ及び匂い画像１を作成することができない。
【００６１】
＜匂い画像１の使用例＞
実施形態１に係る匂い画像の基データ作成方法によって作成された基データに基づいて得られる匂い画像は、サンプルの匂いを匂い画像１で表現することを可能とするものである。すなわち、匂い画像は、サンプルの匂いを視覚的に表現し得るものである。例えば、飲食物や、空気（雰囲気）等の匂いを視覚的に表現し得るものである。
【００６２】
例えば、酒類やコーヒー、紅茶等の飲料をサンプルとして作成した基データに基づいて得られた匂い画像を、それら飲料のパッケージやラベルに表示することで、飲料の容器を開封せずとも、匂い画像を参照することで、その匂いの情報を視覚的に得ることができる。もちろん、サンプルとしては、飲料に限定されず、匂い物質を含有する気体（雰囲気）であれば、特に制限なくサンプルとして採用することができる。
【００６３】
以上、実施形態１に係る匂い画像の基データ作成方法について説明したが、本発明は実施形態１に限定されるものではない。例えば、データ加工ステップＳ２において、値分類サブステップＳ２−３は、必須の工程ではなく、省略することができる。その場合、匂い画像１は、基データの値の大きさに応じて、小画像２の大きさ、色、形を複数の段階に分類することなく、変化させてもよい。
【００６４】
以上、本発明の好ましい実施の形態を説明したが、本発明はこれらに限定されるものではなく、その要旨の範囲内で様々な変形や変更が可能である。例えば、本発明は以下の趣旨を含むものとする。
【００６５】
（趣旨１）匂い物質を含むサンプルの匂いを画像で表現するための基データを作成する匂い画像の基データ作成方法であって、複数のセンサ素子を備える匂いセンサを用いて、前記サンプルに含まれる前記匂い物質について前記複数のセンサ素子のそれぞれにおいて測定された各測定結果を、前記複数のセンサ素子のそれぞれに関連付けられた状態で取得する測定結果取得ステップと、取得した前記測定結果をそれぞれ加工して、前記サンプルの匂いを画像で表現するための基データであって、前記複数のセンサ素子のそれぞれに関連付けられた前記基データを生成するデータ加工ステップと、を有し、前記複数のセンサ素子は、前記匂い物質に対する検出特性が各々異なり、前記データ加工ステップにおいて、前記基データのそれぞれについて前記センサ素子のそれぞれに対応した小画像で表現した場合に、複数の前記小画像の集合である所定の表示態様で前記サンプルの匂いが画像として表現されると共に、前記小画像のそれぞれが前記基データの値の大きさに応じて変化するよう前記基データを生成する、匂い画像の基データ作成方法を趣旨とする。
【００６６】
これによれば、匂いセンサを用いて測定した匂いの測定結果を、視覚的に把握し易くするべく匂いを画像で表現することができる。
【００６７】
（趣旨２）前記所定の表示態様は、前記基データのそれぞれに対応する複数の小画像が互いに所定の間隔を有しつつ所定の大きさ、色、及び形状で表される表示態様であってもよい。
【００６８】
（趣旨３）前記データ加工ステップにおいて、前記基データを、前記基データの値に応じて、複数の段階に分類し、分類された前記複数の段階の各々に応じて、前記小画像の大きさ、色、及び形状の少なくとも１つを変化させてもよい。
【００６９】
（趣旨４）前記複数のセンサ素子は、前記匂い物質を吸着する物質吸着膜と、前記匂い物質の前記物質吸着膜への吸着状態を検出する検出器と、を各々有し、前記物質吸着膜の前記匂い物質に対する吸着特性が、前記複数のセンサ素子において各々異なっていてもよい。
【００７０】
（趣旨５）趣旨１から趣旨４のいずれか１つに記載の匂い画像の基データ作成方法によって作成された前記基データに基づいて表現される匂い画像の作成方法も趣旨とする。
【符号の説明】
【００７１】
１：匂い画像                              ２：小画像  
１０：匂いセンサ                          １１：センサ素子  
１３：物質吸着膜                          １５：検出器  
１７：センサ基板                          １９：センサ面  
２０：撮像装置                            ２１：レンズ部  
５１：演算処理装置                        ５２：記憶装置  
Ｄ１：測定結果データベース  
【図１】
2018211642.tif 000003
【図２】
2018211642.tif 000004
【図３】
2018211642.tif 000005
【図４】
2018211642.tif 000006
【図５】
2018211642.tif 000007
【図６】
2018211642.tif 000008
【図７】
2018211642.tif 000009
【国際調査報告】
2018211642.tif 000010
2018211642.tif 000011
2018211642.tif 000012
2018211642.tif 000013